(57)【特許請求の範囲】
【請求項１】
棒状の支持部材と、
この支持部材の長さ方向の先端部において、長さ方向と交差する方向に取り付けられた棒状の延長部材と、
この延長部材に取り付けられたひも状部材とを備えた
ことを特徴とする雪庇除去具。
【請求項２】
前記支持部材は、伸縮を可能とする伸縮部材を含むことを特徴とする請求項１に記載の雪庇除去具。
【請求項３】
棒状の支持部材と、
この支持部材の長さ方向の先端部において、長さ方向と交差する方向に取り付けられた棒状の延長部材と、
この延長部材に取り付けられたひも状部材と
を備えた雪庇除去具を用いた雪庇の除去方法であって、
前記延長部材を雪庇の幅方向の一端部より上部に配置し、雪庇の上部を通って他端部まで移動させることにより、前記ひも状部材を雪庇の幅方向に掛け渡し、
前記ひも状部材の一端と他端とをそれぞれ下部方向に引っ張ることにより雪庇を除去する
ことを特徴とする雪庇の除去方法。
【発明の詳細な説明】
【技術分野】
【０００１】
本発明は、雪庇を除去するための雪庇除去具および雪庇の除去方法に関する。
【背景技術】
【０００２】
雪が多い地域では、屋根から突き出したいわゆる雪庇といわれる雪のかたまりが生成する。この雪庇が自重あるいは衝撃などにより落下した際、例えば、歩行者がいると怪我をしてしまう恐れがある。
【０００３】
このため、雪庇は定期的に除去することが必要とされている。例えば、屋根に温水を流したり、あるいは発熱体等を設け、雪庇ができないように雪を融雪する装置などが提案されている（特許文献１参照）。また、雪庇が生成しないように金具などを取り付けたり、あるいは屋根の構造を変えたりすることが提案されている（特許文献２参照）。
【先行技術文献】
【特許文献】
【０００４】
【特許文献１】特開２００６−９３４９号公報
【特許文献２】特開２００２−２０６３５４号公報
【発明の概要】
【発明が解決しようとする課題】
【０００５】
しかしながら、雪庇を除去するには、大掛かりな設備を設けたり、あるいは屋根に加工を施したりする必要があり、より簡易に除去することできる除去具や除去方法の開発が望まれていた。
【０００６】
本発明は、このような問題に基づきなされたものであり、雪庇をより簡易に除去することができる雪庇除去具および雪庇の除去方法を提供することを目的とする。
【課題を解決するための手段】
【０００７】
本発明の雪庇除去具は、棒状の支持部材と、この支持部材の長さ方向の先端部において、長さ方向と交差する方向に取り付けられた棒状の延長部材と、この延長部材に取り付けられたひも状部材とを備えたものである。
【０００８】
本発明の雪庇の除去方法は、本発明の雪庇除去具を用いて雪庇を除去するものであって、延長部材を雪庇の幅方向の一端部より上部に配置し、雪庇の上部を通って他端部まで移動させることにより、ひも状部材を雪庇の幅方向に掛け渡し、ひも状部材の一端と他端とをそれぞれ下部方向に引っ張ることにより雪庇を除去するものである。
【発明の効果】
【０００９】
本発明の雪庇除去具によれば、棒状の支持部材と、棒状の延長部材と、ひも状部材とを備えるようにしたので、延長部材を雪庇の幅方向の一端部より上部に配置し、雪庇の上部を通って他端部まで移動させることにより、ひも状部材を雪庇にその幅方向に沿って掛け渡すことができる。よって、本発明の雪庇除去方法によれば、ひも状部材を掛け渡したのち、ひも状部材の一端と他端とをそれぞれ下部方向に引っ張るようにすることにより、雪庇を簡易に除去することができる。
【００１０】
特に、支持部材を、伸縮を可能とする伸縮部材とするようにすれば、持ち運びが便利であると共に、延長部材やひも状部材を雪庇の高さよりも高い位置まで容易に移動させることができる。
【図面の簡単な説明】
【００１１】
【図１】本発明の一実施の形態に係る雪庇除去具の構成を表す図である。
【図２】本発明の雪庇除去具を用いた雪庇の除去方法の一工程を表す図である。
【図３】図２に示した工程に続く工程を表す図である。
【図４】図３に示した工程に続く工程を表す図である。
【図５】図４に示した工程に続く工程を表す図である。
【図６】図５に示した工程に続く工程を表す図である。
【発明を実施するための形態】
【００１２】
以下、本発明の実施の形態について図面を参照して詳細に説明する。
【００１３】
図１（Ａ）は、本実施の形態に係る雪庇除去具１０の構成を表すものであり、図１（Ｂ）は雪庇除去具１０の延長部材１２の部分を上から見た図である。雪庇除去具１０は、例えば、棒状の支持部材１１と、棒状の延長部材１２と、ひも状部材１３とを有している。
【００１４】
支持部材１１は、人間が持った際に、長さ方向の先端部１１ａが、屋根から突き出した雪庇より高い位置にくるような長さとすることが好ましい。例えば、２階建て家屋であれば、支持部材１１の長さを７ｍ以上１０ｍ以下程度とすればよい。このような支持部材１１としては、伸縮を可能とする棒状の伸縮部材が好ましい。持ち運びが便利であると共に、延長部材１２やひも状部材１３を雪庇の高さよりも高い位置まで移動させるのが容易だからである。このような伸縮部材としては、例えば、玉網の玉ノ柄が挙げられる。なお、支持部材１１は、伸縮部材の他にも、一本の棒状部材であってもよいし、複数本の棒状部材をつなげ合わせるようにしたものであってもよい。
【００１５】
先端部１１ａには、例えば、ゴムが取り付けられ、更にそのゴムにはボルトが突出するように取り付けられており、このボルトには、例えば、フックが取り付けられるようになっている。
【００１６】
延長部材１２は、支持部材１１の長さ方向の先端部１１ａにおいて、支持部材１１の長さ方向と交差する方向に取り付けられており、より好ましくは支持部材１１の長さ方向と略直行するように取り付けられている。延長部材１２は、例えば、一端がフックになっており、先端部１１ａのボルトに引っ掛けられて取り付けられている。
【００１７】
延長部材１２の他端部は、例えば、フックになっており、ひも状部材１３が引っ掛けられて取り付けられている。延長部材１２の長さは、雪庇が屋根から突き出した長さ程度あればよい。具体的には、突き出した雪庇の長さにもよるが、３０ｃｍ以上５０ｃｍ以下とするようにすれば好ましい。
【００１８】
ひも状部材１３としては、例えば、直径が２ｍｍ以上５ｍｍ以下、より好ましくは３ｍｍ以上４ｍｍ以下のロープや、ワイヤーなどが好ましく挙げられる。この範囲であれば、雪庇を切断しやすいからである。
【００１９】
次に、この雪庇除去具１０を用いた雪庇の除去方法について説明する。
【００２０】
まず、図２に示したように、雪庇除去具１０を雪庇の幅方向Ｗの一端部側Ｗ１の地面の位置Ｍ１に配置する。
【００２１】
次に、図３に示すように、支持部材１１を長さ方向の先端部１１ａが、屋根から突き出した雪庇Ｓより高い位置Ｍ２までくるように伸長させる。その際、雪庇Ｓの幅方向Ｗに対して延長部材１２が交差する方向に向け、支持部材１１は、突き出した雪庇Ｓよりも突き出し方向外側に位置させる。
【００２２】
次いで、図４に示すように、支持部材１０を雪庇Ｓの幅方向Ｗに沿って雪庇の幅方向Ｗの他端部側Ｗ２の位置Ｍ３まで移動させると共に、ひも状部材１３を雪庇Ｓにその幅方向Ｗに沿って掛け渡す。
【００２３】
続いて、図５に示すように、支持部材１１を縮めてひも状部材１３を地面の位置Ｍ４まで移動させる。
【００２４】
続いて、図６に示すように、雪庇除去具１０を位置Ｍ１まで移動させる。そののち、ひも状部材１３の一端と他端とをそれぞれ下部方向に引っ張るように、具体的には、ひも状部材１３の一端と他端とをそれぞれ下部方向に交互に引っ張るようにすることにより、雪庇Ｓを切断し除去する。なお、位置Ｍ１において、ひも状部材１３を引っ張るようにすれば、雪庇Ｓが切断され落下してきても、雪庇Ｓにぶつかることなく安全に除去できる。
【００２５】
このように本実施の形態によれば、棒状の支持部材１１と、棒状の延長部材１２と、ひも状部材１３とを備えるようにしたので、延長部材１２を雪庇Ｓの幅方向Ｗの一端部Ｗ１より上部に配置し、雪庇Ｓの上部を通って他端部Ｗ２まで移動させることにより、ひも状部材１３を雪庇Ｓにその幅方向Ｗに沿って掛け渡すことができる。よって、ひも状部材１３を掛け渡したのち、ひも状部材１３の一端と他端とをそれぞれ下部方向に引っ張るようにすることにより、雪庇Ｓを簡易に除去することができる。
【００２６】
特に、支持部材１１を、伸縮を可能とする伸縮部材とするようにすれば、持ち運びが便利であると共に、延長部材１２やひも状部材１３を雪庇の高さよりも高い位置まで容易に移動させることができる。
【００２７】
以上、実施の形態を挙げて本発明を説明したが、本発明は上記実施の形態に限定されるものではなく、種々変形可能である。例えば、上記実施の形態では、２階建て家屋の場合を一例として説明したが、３階建て以上の家屋についても適用することができる。その際、支持部材１１の長さは、雪庇のできる位置に合わせて変更するようにすればよい。
【産業上の利用可能性】
【００２８】
雪庇の除去に用いることができる。
【符号の説明】
【００２９】
１０…雪庇除去具、１１…支持部材、１１ａ…先端部、１２…延長部材、１３…ひも状部材、Ｗ…雪庇の幅方向、Ｓ…雪庇
【図１】
0005836180.tif 000002
【図２】
0005836180.tif 000003
【図３】
0005836180.tif 000004
【図４】
0005836180.tif 000005
【図５】
0005836180.tif 000006
【図６】
0005836180.tif 000007